(57)【要約】【課題】電子複写機やレーザープリンター等で印刷できると共に、印刷したものを複写しても視認できないようにした複写防止紙を提供する。  また、印刷が鮮明で複写すれば複写紙が黒変して読み取ることができないようにした複写防止紙を提供する。  さらに、製造が容易で安価につく複写防止紙を提供する。【解決手段】基材１０の片面に、離型層２０、保護層３０、金属蒸着層４０及び接着層５０を順次設け、前記金属蒸着層４０を電気絶縁性を有するものにした転写材料を、コーテッド紙６０に転写して、前記基材１０と前記離型層２０を除いて形成し、前記保護層３０表面に電子複写機、レーザープリンター等のトナが定着できるようにしたもの。【選択図】        図２
2005225088.tif 000002
【特許請求の範囲】
【請求項１】
基材の片面に、離型層、保護層、金属蒸着層及び接着層を順次設け、前記金属蒸着層を電気絶縁性を有するものにした転写材料を、コーテッド紙に転写して、前記基材と前記離型層を除いて形成し、前記保護層表面に電子複写機、レーザープリンター等のトナが定着できるようにしたことを特徴とする複写防止紙。
【請求項２】
前記金属蒸着層が錫又は錫合金からなることを特徴とする請求項１記載の複写防止紙。
【請求項３】
前記コーテッド紙の裏面に重送防止用マット層を設けたことを特徴とする請求項１又は２記載の複写防止紙。
【発明の詳細な説明】
【技術分野】
【０００１】
本発明は、電子複写機、レーザープリンター等で印刷できるが、印刷したものを複写できないようにした複写防止紙に関する。
【背景技術】
【０００２】
従来、上記複写防止用合成樹脂フィルムには、情報を記録した書類の表面に貼着して、その上から視認できるが、電子複写機やレーザープリンター等で複写できないようにしたものがあったが、この種の複写防止用フィルムは、貼り合わせる手間が必要な上に、貼り合わせた上からは情報の記録が視認しにくい欠点があった。
そこで本発明者は、基材の片面に、離型層、保護層、金属蒸着層及び接着層を順次設け、前記金属蒸着層を電気絶縁性を有するものにした転写材料を使用して、これをアート紙、コート紙等で知られるコーテッド紙に転写したのち、前記基材と前記離型層を除いて形成したものは、その上に電子複写機やレーザープリンター等のトナが確実に定着して印刷できると共に、これを複写しても印刷された情報記録は黒変して全く視認できなくなることを見出し本発明を完成した。
【特許文献１】特開昭６１−２３１８７号公報
【特許文献２】特開昭６２−１９８９５２号公報
【特許文献３】特開昭６２−１７４１８９号公報
【特許文献４】特開昭６３−２４９６８８号公報
【発明の開示】
【発明が解決しようとする課題】
【０００３】
本発明は、電子複写機やレーザープリンター等で印刷できると共に、印刷したものを複写しても視認できないようにした複写防止紙を提供することにある。
また、本発明は、印刷が鮮明で複写すれば複写紙が黒変して読み取ることができないようにした複写防止紙を提供することにある。
さらに、本発明は、製造が容易で安価につく複写防止紙を提供することにある。
【課題を解決するための手段】
【０００４】
本発明複写防止紙は、上記課題を達成するため、図面に示すように、基材の片面に、離型層、保護層、金属蒸着層及び接着層を順次設け、前記金属蒸着層を電気絶縁性を有するものにした転写材料を、コーテッド紙に転写して、前記基材と前記離型層を除いて形成し、前記保護層表面に電子複写機、レーザープリンター等のトナが定着できるようにしたものである。
また、本発明複写防止紙は、上記課題を達成するため、図面に示すように、上記発明において、前記金属蒸着層が錫又は錫合金からなるものである。
さらに、本発明複写防止紙は、上記課題を達成するため、図面に示すように、上記発明において、前記コーテッド紙の裏面に重送防止用マット層を設けたものである。
本発明において、基材は、ポリエステルフィルム等の合成樹脂フィルム、紙等の従来から転写材料の基材として使用されたものが使用できる。
離型層は、アクリル系樹脂、シリコーン系樹脂、ワックス等の従来から転写材料の離型層に使用されたものが使用でき、離型層の形成は、グラビアコート等の公知方法で行われる。
保護層は、無色透明又は着色透明のアクリル系樹脂、ニトロセルロース等の従来から転写材料の保護層として使用されたものが使用でき、保護層の形成は、グラビアコート等の公知方法で行われる。
金属蒸着層は、錫、錫合金が好ましく、表面絶縁電気抵抗値は１０８ 〜１０１２ オームが好ましい。
接着層は、塩化ビニル樹脂酢酸ビニル樹脂共重合体系樹脂とアクリル系樹脂、ポリエステル系樹脂等との混合物が使用できる。
マット剤は、粒子サイズ１０ミクロンメートル以下のシリカを０．０７〜６重量％含有した有機溶剤可溶のポリオレフィン系、アクリル系等の樹脂が使用できる。
コーテッド紙は、原紙に、白色微粒子のカオリン、炭酸カルシウム、二酸化チタン、水酸化アルミ、サテン白等の白色顔料を約５０％含有し、合成ラテックス、消泡剤、分散剤等を少量添加して、約１ミクロンメートル以下に鏡面ロールで平滑に塗工したものが好ましく、坪量６０ｇ／ｍ２ に対し１ｍ２ 当たり２０ｇ以上塗工されたアート紙や、坪量６０ｇ／ｍ２ に対し１ｍ２ 当たり１０ｇ以上塗工されたコート紙が使用できる。
【発明の効果】
【０００５】
本発明複写防止紙は、光線反射率が大きく電気絶縁性のよい金属蒸着膜と、印刷上、平面性に優れたコーテッド紙を使用しているので、電子複写機やレーザープリンターのトナが定着性がよく、また印刷された情報記録を複写すれば黒変してその情報記録を全く視認できなくなる複写防止効果が大きい利点がある。
【発明を実施するための最良の形態】
【０００６】
本発明の実施例は、錫蒸着膜を使用した転写用フィルムをコーテッド紙に転写してフィルム層と離型層とを除いて製造される。
【実施例１】
【０００７】
本発明の実施例が図１に示されている。
転写材料は、厚み２５ミクロンメートルのポリエステルフィルム１０の片面に、厚み１．５ミクロンメートルのアクリル樹脂の離型層２０、厚み１．５ミクロンメートルのアクリルーウレタン系樹脂の保護層３０、厚み３００Åの島状構造の錫の表面電気絶縁電気抵抗値１０１２  オームの金属光沢の蒸着膜４０、塩化ビニル酢酸ビニル共重合樹脂の溶液を主成分とした接着層５０を順次形成したものである。
コーテッド紙６０は、８４．９ｇ／ｍ２  のコート紙を使用し、裏面に平均粒径１０ミクロンメートル以下のシリカ７１を０．０３〜０．０５重量％混合したオレフィン系樹脂溶液のマット剤層７０を塗布したものである。
転写材料の接着層５０をコーテッド紙６０の表面６１に接着して転写し、前記ポリエステルフィルム１０と前記離型層２０を除いて本発明複写防止紙とした。
本実施例の複写防止紙をレーザープリンターで印刷し、その印刷紙をさらにレーザープリンターで複写したところ、複写紙は黒変して印刷された情報記録を視認することができなかった。
【産業上の利用可能性】
【０００８】
本発明の複写防止紙は、簡単かつ安価に製造できる。
【図面の簡単な説明】
【０００９】
【図１】本発明実施例の転写材料の部分拡大断面からみた説明図である。
【図２】本発明実施例の複写防止紙の部分拡大断面からみた説明図である。
【符号の説明】
【００１０】
１０    基材
２０    離型層
３０    保護層
４０    金属蒸着膜
５０    接着層
６０    コーテッド紙
７０    マット層
【図１】
2005225088.tif 000003
【図２】
2005225088.tif 000004
【手続補正書】
【提出日】平成16年2月19日(2004.2.19)
【手続補正１】
【補正対象書類名】明細書
【補正対象項目名】０００２
【補正方法】変更
【補正の内容】
【０００２】
従来、上記複写防止用合成樹脂フィルムには、情報を記録した書類の表面に貼着して、その上から視認できるが、電子複写機やレーザープリンター等で複写できないようにしたものがあったが、この種の複写防止用フィルムは、貼り合わせる手間が必要な上に、貼り合わせた上からは情報の記録が視認しにくい欠点があった。
そこで本発明者は、基材の片面に、離型層、保護層、金属蒸着層及び接着層を順次設け、前記金属蒸着層を電気絶縁性を有するものにした転写材料を使用して、これをアート紙、コート紙等で知られるコーテッド紙に転写したのち、前記基材と前記離型層を除いて形成したものは、その上に電子複写機やレーザープリンター等のトナが確実に定着して印刷できると共に、これを複写しても印刷された情報記録は黒変して全く視認できなくなることを見出し本発明を完成した。
【特許文献１】特開昭６１−２３１８７号公報
【特許文献２】特開昭６４−４２６７８号公報
【特許文献３】特開昭６２−１７４１８９号公報
【特許文献４】特開昭６３−２４９６８８号公報